(57)【要約】　　　（修正有）【課題】從来品は次のような欠点があった。イ：尿などの水分を除去することが大変難しかったため、時には家畜の肢が滑ることがあった。ロ：ふん尿などの水分が停留して、不衛生になり、乳頭糞線虫などが、牛の皮下に入り込み、感染をくりかえしていた。そこでゴム床上の水分を出来るだけ早く分離し、かつ清潔で滑りにくく、家畜のストレスを軽減されるものが求められていた。本考案はその欠点を除くためになされたものである。【解決手段】家畜特に牛の床材で、テーパー溝付き軟質ゴムマットにおいて、表面から溝部分に超高分子ポリエチレン又はテフロンテープ２をはり付け、溝以外のゴム部１にマイナスイオン発生ゴム３を取り付けた家畜等の床が清潔でかつ残った水分等が少ないので立ち上がる時などに肢が滑りにくい事を特徴とする家畜特に牛用床材。【選択図】図１
0003097011.tif 000002
【実用新案登録請求の範囲】
【請求項１】
家畜（特に牛）等の床材で、テーパー溝付き軟質ゴムマット（１１０１ｃｍ×１９０ｃｍ×４ｃｍ）において、表面から１〜３ｃｍの溝部分に超高分子ポリエチレン又はテフロンテープを張り付け、溝以外のゴム部にマイナスイオン発生ゴムを取り付けた家畜等の床が清潔でかつ残った水分等が少ないので立ち上がる時などに肢が滑りにくい事を特徴とする家畜（特に牛）用床材。
【請求項２】
約半分以上の面積が請求項１記載の使用になっている事を特徴とする家畜（特に牛）用マット。
【考案の詳細な説明】
【０００１】
［考案の属する技術分野］
この考案は家畜（特に牛）の安楽性を高めるゴムベッドに関するものである。
【０００２】
［従来の技術］
従来、コンクリート・ゴムマット及びゴムチップマットがあった。
【０００３】
［考案が解決しようとする課題］
これは次のような欠点があった。
（イ）尿などの水分を除去することが大変難しかったため、時には家畜の肢が滑ることがあった。
（ロ）ふん尿などの水分が停留して、不衛生になり、乳頭糞線虫などが、牛の皮下に入り込み、感染をくりかえしていた。
そこでゴム床上の水分を出来るだけ早く分離し、かつ清潔で滑りにくく、家畜のストレスを軽減されるものが求められている。
本考案はその欠点を除くためになされたものである。
【０００４】
［課題を解決するための手段］
テーパー溝付きゴム成型品（１図）に裏ゴム付きの高分子ポリエチレン樹脂又はテフロンテープ（２図）を溝面に張り付け、尿などの水分を手早く尿溝内に流すことにより、ゴム表面に水分がたまるのを防ぎ、家畜（特に牛）の肢が滑りにくくなる。
そして、高分子ポリエチレン樹脂又はテフロンテープは、耐薬品性に優れているうえ摩擦抵抗が少ないため、敷料の交換作業が容易となり、清潔かつ乾燥させることが頻繁に出来るようになり、家蓄（特に牛）に及ぼすストレスが緩和される。
溝以外のゴム部（特に乳房等の当たる部分）には、静止状態でマイナスイオンを発生する電気石を配合したゴムシートを張り付け（又は焼き付け）、抗菌と家畜のリラックス効果を高める。
また、尿の落ちる端及び裏面の約２０ｃｍ程度の部分に雑菌の繁殖を防ぐ予防としてマイナスイオン塗料をコートする。
本考案は、以上のような構成よりなる家畜用ラバーベッドである。
【０００５】
［考案の実施の形態］
以下、本案の実施の形態について説明する。
（イ）ゴム金型でテーパー溝付きゴム（１１００ミリ×１９００ミリ×４０ミリ）をプレス加硫により生産する。
（ロ）溝以外のゴム部分（特に乳房の当たる場所）にマイナスイオン発生ゴムシートを張りつける（又は焼き付ける）。
（ハ）溝部分に裏ゴム付きの超高分子ポリエチレンかテフロンテープを張り付ける。
ゴム材質も▲１▼自然からきて自然に帰るゴムを使用するエコ製品と、▲２▼古タイヤ等のリサイクルゴムを使用したもの（ダブルリサイクルが可能）の２種類で生産でき、ゴム硬度は、肢蹄の負担を軽減し関節に擦り傷や腫れが生じにくいクッション性に優れたＪＩＳ４０度の柔らかいゴムを標準とする。
この硬度は、家畜（特に牛）が横たわっている時間が一番長いとされる柔らかさです。
【０００６】
［考案の効果］
本案は以上のような構造で、これを使用するときは、表面ゴムに水分の残留が少ないため滑りにくく且つクッション性の良さとマイナスイオンのリラックス効果でよく寝ている時間が長いことが確認出来る。
【図面の簡単な説明】
本考案のテーパー付きゴム成型品斜視図・水分滑り加工部分図・マイナスイオン採用マットの斜視図
【符号の説明】
１はゴムマット、２は裏ゴム付き高分子ポリエチレン樹脂（テフロンテープ）
３は溝に取り付けた製品　４はマイナスイオン発生ゴムシート
【図１】
0003097011.tif 000003
【図２】
0003097011.tif 000004
【図３】
0003097011.tif 000005
【手続補正書】
【提出日】平成15年3月10日(2003.3.10)
【手続補正１】
【補正対象書類名】明細書
【補正対象項目名】全文
【補正方法】変更
【補正の内容】
【考案の詳細な説明】
【実用新案登録請求の範囲】
【請求項１】家畜特に牛の床材で、テーパー溝付き軟質ゴムマットにおいて、表面から溝部分に超高分子ポリエチレン又はテフロンテープをはり付け、溝以外のゴム部にマイナスイオン発生ゴムを取り付けた家畜等の床。清潔でかつ残った水分等が少ないので立ち上がる時などに肢が滑りにくい事を特徴とする家畜特に牛用床材。
【請求項２】約半分以上の面積が請求項１記載の使用になっている事を特徴とする家畜特に牛用マット。
【考案の詳細な説明】
【０００１】
【考案の属する技術分野】
この考案は家畜特に牛の安楽性を高めるゴムベッドに関するものである。
【０００２】
【従来の技術】
従来、コンクリート・ゴムマット及びゴムチップマットがあった。
【０００３】
【考案が解決しようとする課題】
これは次のような欠点があった。
イ：　尿などの水分を除去することが大変難しかったため、時には家畜の肢が滑ることがあった。
ロ：　ふん尿などの水分が停留して、不衛生になり、乳頭糞線虫などが、牛の皮下に入り込み、感染をくりかえしていた。
そこでゴム床上の水分を出来るだけ早く分離し、かつ清潔で滑りにくく、家畜のストレスを軽減されるものが求められていた。
本考案はその欠点を除くためになされたものである。
【０００４】
【課題を解決するための手段】
テーパー溝付きゴム成型品に裏ゴム付きの高分子ポリエチレン樹脂又はテフロンテープを溝面に張り付け、尿などの水分を手早く尿溝内に流すことにより、ゴム表面に水分がたまるのを防ぎ、家畜特に牛の肢が滑りにくくなる。
そして、高分子ポリエチレン樹脂又はテフロンテープは、耐薬品性に優れているうえ摩擦抵抗が少ないため、敷料の交換作業が容易となり、清潔かつ乾燥させることが頻繁に出来るようになり、家畜特に牛に及ぼすストレスが緩和される。
溝以外のゴム部特に乳房等の当たる部分には、静止状態でマイナスイオンを発生する電気石を配合したゴムシートを張り付け又は焼き付け、抗菌と家畜のリラックス効果を高める。
また、尿の落ちる端及び裏面の約２０ｃｍ程度の部分に雑菌の繁殖を防ぐ予防としてマイナスイオン塗料をコートする。
本考案は、以上のような構成よりなる家畜用ラバーマットである。
【図面の簡単な説明】
【図１】本考案のテーパー付きゴム成型品斜視図である。
【図２】本考案の水分滑り加工部分図で溝部分の裏面ゴム付き超高分子ポリエチレン又
はテフロン裏面粘着テープのはり付け拡大図である。
【図３】本考案のマイナスイオン採用マットの斜視図と側面図である。
【０００６】
【符号の説明】
１　ゴムマット、２　裏ゴム付き高分子ポリエチレン樹脂（テフロンテープ）
３　溝に取り付けた製品　４　マイナスイオン発生ゴムシート部
【図面】
【図１】
0003097011.tif 000006
【図２】
0003097011.tif 000007
【図３】
0003097011.tif 000008